(57)【要約】【課題】フォーマット用紙７の記入領域にオペレータの所望する固有情報を印刷する印刷機能を実行可能とした情報処理装置において、印刷対象となるフォーマット用紙７にオペレータの所望する固有情報を位置ずれすることなく印刷可能とする。【解決手段】制御手段５による印刷機能は、画像入力手段２によって印刷対象とするフォーマット用紙７のレイアウト画像２０または３０を実際に取得する画像取得処理と、この取得したレイアウト画像２０または３０を表示手段３に表示するとともに、この表示したレイアウト画像２０または３０における記入領域画像（２２〜２５または３３）内にオペレータが所望の固有情報をはめ込み表示することにより、印刷イメージを作成する表示編集処理と、このはめ込み表示した固有情報を前記画像取得に使用した印刷対象のフォーマット用紙７に印刷手段４で印刷する印刷処理とを含む。【選択図】図３
2006293758.tif 000002
【特許請求の範囲】
【請求項１】
情報の記入領域または画像等が適宜レイアウトで記載されているフォーマット用紙の前記記入領域または任意領域に、オペレータの所望する文字や画像等の固有情報を印刷する印刷機能を実行する制御手段を有し、
この制御手段による印刷機能は、
画像入力手段によって印刷対象とするフォーマット用紙に関するレイアウト画像を実際に取得する画像取得処理と、
この取得したレイアウト画像を表示手段に表示するとともに、この表示したレイアウト画像における記入領域画像内または任意領域にオペレータが所望の任意の固有情報を入力手段ではめ込み表示することにより、印刷イメージを作成する表示編集処理と、
このはめ込み表示した固有情報を前記画像取得に使用した印刷対象のフォーマット用紙に印刷手段で印刷する印刷処理とを含むことを特徴とする情報処理装置。
【請求項２】
前記制御手段は、表示編集処理において、前記入力手段からの移動指令に応答して、前記表示手段にはめ込み表示している固有情報の表示位置を、前記表示手段に表示しているレイアウト画像の任意の位置へ移動させることを特徴とする請求項１に記載の情報処理装置。
【請求項３】
情報の記入領域が標準レイアウトで記載されている標準タイプのフォーマット用紙に関するレイアウト画像が格納された保存手段を有し、
前記制御手段は、画像取得処理において、前記入力手段からの選択指令に応答して、前記保存手段内における標準タイプのフォーマット用紙に関するレイアウト画像を取り出して前記表示手段への表示に利用する形態と、前記画像入力手段で印刷対象のフォーマット用紙のレイアウト画像を取得して、この取得したレイアウト画像を前記表示手段への表示に利用する形態とのいずれか一方を選択することを特徴とする請求項１または２に記載の情報処理装置。
【発明の詳細な説明】
【技術分野】
【０００１】
本発明は、情報の記入領域または画像等が適宜レイアウトで記載されているフォーマット用紙の前記記入領域または任意領域に、オペレータの所望する文字や画像等の固有情報を印刷する印刷機能を実行可能とした情報処理装置に関する。
【背景技術】
【０００２】
例えばハガキ、封筒、注文書、領収書等のようなフォーマット用紙には、記入領域が標準レイアウトで記載された標準タイプのフォーマット用紙と、記入領域が特殊タイプのレイアウトで記載された特殊タイプのフォーマット用紙とがある。
【０００３】
このような各種のフォーマット用紙の記入領域に、オペレータの所望する文字や画像等の固有情報を印刷するために、いろいろな装置が考えられている。
【０００４】
その一例として、ハガキの表面に記入事項を印字するための印字装置において、敬称を含めた受取人氏名欄に全体にバランスよく印字を行うため、印字される文字数に応じて印字開始位置を調整する方法が示されている（例えば、特許文献１参照。）。
【０００５】
また、オペレータが入力した可変データと、メモリに記憶された互いに行数が異なる複数の固定データのうちからオペレータが選択したデータを、一つの印刷領域に印刷する際、印刷領域内に印刷できない場合に、別の前記の固定データより印刷可能なデータを印刷データとして設定するハガキ印刷装置が示されている（例えば、特許文献２参照。）。
【０００６】
また、あらかじめ複数の印刷フォーマットを記憶しておき、光学読取装置から取り込んだフォーマット情報に基づき、自動的に形式を決定し、あらかじめ入力しておいたそのフォーマットが必要とする項目を所定の位置に印刷する方法がある（例えば、特許文献３参照。）。
【特許文献１】特許第３０３５０８０号
【特許文献２】特開２０００−１９０５８８号公報
【特許文献３】特開２０００−１８１９１３号公報
【発明の開示】
【発明が解決しようとする課題】
【０００７】
上記特許文献１に係る従来例では、装置側で入力文字数からレイアウトを決定するので、オペレータが印字位置を決めることができない。
【０００８】
また、上記特許文献２に係る従来例では、レイアウトを装置側で決められているうえ、レイアウト内で収まらない場合は装置側で文面を変えられてしまい、オペレータの要望どおりに印刷されない可能性がある。
【０００９】
さらに、上記特許文献３に係る従来例では、光学読取装置からフォーマット情報を読み込み、フォーマット形式を決定するが、あらかじめ記憶装置に記憶されていないフォーマットでは印刷できず、やはりオペレータ側でレイアウトを決めることができなかった。
【００１０】
ところで、例えばハガキや封筒等の標準タイプのフォーマット用紙でも、その製造元や製造年度によって情報の記入領域等のレイアウトが若干ながらも異なる場合がある。
【００１１】
そのような場合には、仮に、表示装置の画面上に記憶装置内に予め格納している標準タイプのフォーマット用紙のレイアウト画像を表示したうえで、その記入領域内にオペレータの所望の固有情報をはめ込み表示することによって印刷イメージを作成していると、レイアウト画像と実際に印刷に使うフォーマット用紙との間で記入領域が位置ずれしていることになるため、印刷すると、印刷対象となるフォーマット用紙の記入領域内に、前記表示した固有情報が位置ずれして印刷されてしまうことになり、印刷イメージと実際に印刷した状態とで狂いが生じる。
【００１２】
また、市販のハガキの裏面にイラスト等の画像が予め印刷されているような特殊タイプのフォーマット用紙の適宜領域に、メッセージ等の固有情報を印刷したいときは、ハガキの輪郭を示す画像を表示しておいて、その輪郭内にメッセージ等の固有情報をオペレータの所望の位置に表示することにより印刷イメージを作成しておいてから、この印刷イメージに基づき前記印刷対象となる特殊タイプのフォーマット用紙に固有情報を印刷すると、フォーマット用紙のイラスト等の画像と印刷した固有情報との相対位置が、印刷イメージとは異なったものになることがある。
【００１３】
本発明は、情報の記入領域または画像等が適宜レイアウトで記載されているフォーマット用紙の前記記入領域または任意領域にオペレータの所望する文字や画像等の固有情報を印刷する印刷機能を実行可能とした情報処理装置において、印刷対象となるフォーマット用紙にオペレータの所望する固有情報を位置ずれすることなく印刷可能とすることを目的としている。
【課題を解決するための手段】
【００１４】
本発明に係る情報処理装置は、情報の記入領域または画像等が適宜レイアウトで記載されているフォーマット用紙の前記記入領域または任意領域に、オペレータの所望する文字や画像等の固有情報を印刷する印刷機能を実行する制御手段を有し、この制御手段による印刷機能は、画像入力手段によって印刷対象とするフォーマット用紙に関するレイアウト画像を実際に取得する画像取得処理と、この取得したレイアウト画像を表示手段に表示するとともに、この表示したレイアウト画像における記入領域画像内または任意領域にオペレータが所望の任意の固有情報を入力手段ではめ込み表示することにより、印刷イメージを作成する表示編集処理と、このはめ込み表示した固有情報を前記画像取得に使用した印刷対象のフォーマット用紙に印刷手段で印刷する印刷処理とを含むことを特徴としている。
【００１５】
なお、この情報処理装置は、オペレータの操作に応じて文字や画像等の入力情報や動作指示等の指令情報を出力する入力手段と、適宜の用紙に記載している内容等を取得する画像入力手段と、文字や画像等を表示する表示手段と、用意された用紙に文字や画像等を印刷する印刷手段と、必要に応じて前記各手段の動作を制御するとともに、前記印刷機能を実行する制御手段とを含む構成である。
【００１６】
このように、印刷対象とするフォーマット用紙のレイアウト画像を実際に取り込んで表示するとともに、その記入領域画像または任意領域に任意の固有情報をはめ込み表示することにより印刷イメージを作成しているから、この印刷イメージと印刷対象とするフォーマット用紙との間でレイアウトが位置ずれすることがない。
【００１７】
このような印刷対象となるフォーマット用紙に忠実に作成した印刷イメージに基づいて、固有情報の印刷を行うから、印刷対象となるフォーマット用紙に、オペレータの所望する固有情報を位置ずれすることなく、正確に印刷することが可能になる。
【００１８】
上記情報処理装置における前記制御手段は、表示編集処理において、前記入力手段からの移動指令に応答して、前記表示手段にはめ込み表示している固有情報の表示位置を、前記表示手段に表示しているレイアウト画像の任意の位置へ移動させるものとすることができる。
【００１９】
この構成によれば、固有情報の配置自由度を高めることができ、オペレータの好みを印刷結果に反映させるうえで有利となる。
【００２０】
上記情報処理装置は、情報の記入領域が標準レイアウトで記載されている標準タイプのフォーマット用紙に関するレイアウト画像が格納された保存手段を有し、前記制御手段は、画像取得処理において、前記入力手段からの選択指令に応答して、前記保存手段内における標準タイプのフォーマット用紙に関するレイアウト画像を取り出して前記表示手段への表示に利用する形態と、前記画像入力手段で印刷対象のフォーマット用紙のレイアウト画像を取得して、この取得したレイアウト画像を前記表示手段への表示に利用する形態とのいずれか一方を選択するものとすることができる。
【００２１】
この構成によれば、印刷イメージを作成するにあたって、保存手段内のレイアウト画像を使う形態の場合には画像取得に要する時間を省略できるから、印刷を簡単かつ迅速に行えるようになり、一方、印刷対象となるフォーマット用紙のレイアウト画像を実際に取得して使う形態の場合には、上述したように位置ずれのない正確な印刷が可能になる。しかも、このような二つの形態を選択できるようにしているから、オペレータ個々の要求に広く答えることが可能になって、使い勝手が向上する。
【発明の効果】
【００２２】
本発明によれば、印刷対象となるフォーマット用紙にオペレータの所望する固有情報を位置ずれすることなく印刷することが可能になる。
【発明を実施するための最良の形態】
【００２３】
本発明の一実施形態を図１から図５に示して詳細に説明する。
【００２４】
この実施形態での情報処理装置は、図１の概略構成図に示すように、入力手段１と、画像入力手段２と、表示手段３と、印刷手段４と、制御手段５とを備えており、図２の外観図に示すように、単一のケース６の上面に、入力手段１、画像入力手段２ならびに表示手段３が配置されていて、内部に印刷手段４および制御手段５が装備された構造になっている。
【００２５】
入力手段１は、人的操作に応じて文字や画像等の入力情報や動作指示等の指令情報を出力するキーボード等とされるが、ここでは、図２に示すように、複数の操作キー１ａと、上下左右方向にカーソルを移動させるためのカーソルキー１ｂとを有する構成になっている。
【００２６】
画像入力手段２は、読取対象となる用紙に記載されている内容を電子情報として取得するスキャナ（光学読取装置）等とされる。
【００２７】
この画像入力手段２は、例えば図２において、用紙搭載面２ａ上に読取対象となる用紙を載せて、開閉自在な押さえ蓋２ｂで用紙搭載面２ａ上の用紙を不動に位置決めするとともに外光を遮るようにした構成である。
【００２８】
この画像入力手段２で取得した電子情報は、制御手段５におけるデータメモリ１３のバッファエリアに一時的に保存される。
【００２９】
なお、前記画像入力手段２で取得した電子情報は、例えば印刷手段４で適宜のフォーマット用紙に印刷する際に利用するようにしたり、あるいは印刷手段４で白紙にコピー印刷するようにしたり、あるいは図示していない電話回線に出力してファクシミリ送信するようにしたりすることも可能である。
【００３０】
表示手段３は、文字や画像等を表示するＬＣＤやＣＲＴ等とされる。
【００３１】
印刷手段４は、白紙、各種のフォーマット用紙等に文字や画像等を印刷するプリンタ等とされる。
【００３２】
なお、各種のフォーマット用紙としては、例えばハガキ、封筒、注文書、領収書等が挙げられる。これらのフォーマット用紙においては、情報の記入領域のレイアウトが標準とされる標準タイプのフォーマット用紙と、情報の記入領域のレイアウトが自由に設定された特殊タイプのフォーマット用紙とがある。
【００３３】
制御手段５は、前記各手段１〜４の動作を統括制御していろいろな機能を実現するＥＣＵ（Electronic Control Unit）等とされ、中央処理装置（ＣＰＵ）１１、プログラムメモリ（ＲＯＭ）１２、データメモリ（ＲＡＭ）１３、固有情報メモリ１４等を双方向性バスによって相互に接続した構成になっている。
【００３４】
この制御手段５の実行可能な機能の一つとして、印刷機能がある。
【００３５】
この印刷機能は、情報の記入領域または画像等が適宜レイアウトで記載されているフォーマット用紙の前記記入領域または任意領域に、オペレータの所望する文字や画像等の固有情報を印刷するものである。
【００３６】
この実施形態では、印刷機能について、簡易印刷モードと、お好み印刷モードとが選択できるように工夫されているので、後で詳細に説明する。
【００３７】
プログラムメモリ１２には、少なくとも上記各機能を実行するためのプログラムが格納されている。
【００３８】
データメモリ１３には、各機能実行時における動作制御に必要なデータが保管されている。
【００３９】
固有情報メモリ１４は、標準タイプのフォーマット用紙に関するレイアウト画像の情報が格納されている領域（保存手段）と、文字や画像等の固有情報が格納された領域とを少なくとも有している。
【００４０】
この固有情報メモリ１４は、この実施形態では、例えば読み出し専用メモリ（ＲＯＭ）とされるが、フロッピディスクやコンパクトディスク等の情報記録媒体を用いる外部記憶装置とすることも可能である。
【００４１】
なお、固有情報メモリ１４に格納するレイアウト画像とは、標準タイプのフォーマット用紙の表面および裏面における情報の記入領域、当該記入領域のレイアウトや、輪郭を含む全体画像のことである。
【００４２】
また、固有情報メモリ１４に格納する固有情報とは、例えば氏名、郵便番号、住所、あるいは挨拶等の文章のことである。
【００４３】
次に、上記制御手段５により実行する印刷機能に関する手順および動作について説明する。
【００４４】
例えばオペレータにより印刷機能を開始すると、図３に示すフローチャートにエントリーする。
【００４５】
まず、ステップＳ１において、表示手段３に表示すべき印刷イメージのレイアウト画像を、画像入力手段２から読み込むか否かを判定する。
【００４６】
換言すれば、このステップＳ１では、簡易印刷モードとするか、お好み印刷モードとするかを選択している。この選択は、オペレータによる入力手段１に対する操作で行う。
【００４７】
ここで、簡易印刷モードとする場合、上記ステップＳ１で否定判定し、ステップＳ２において、固有情報メモリ１４からオペレータにより指定された適宜のレイアウト画像を読み出す。この読み出したレイアウト画像を、ステップＳ６において、例えば図４および図５に示すように、表示手段３の表示画面３ａにおける第１表示エリア３ｂに表示する。
【００４８】
図４の例では、フォーマット用紙としての標準タイプのハガキの表面に関するレイアウト画像２０を示しており、このレイアウト画像２０は、輪郭線画像２１、郵便番号記入領域画像２２、宛先住所記入領域画像２３、宛先氏名記入領域画像２４、敬称記入領域画像２５等を含む。
【００４９】
図５の例では、フォーマット用紙としての標準タイプのハガキの裏面に関するレイアウト画像３０を示しており、このレイアウト画像３０は、輪郭線画像３１、イラスト画像３２と、メッセージ記入領域画像３３とを含む。
【００５０】
なお、図４および図５において、３ｃは表示手段３の表示画面３ａにおける第２表示エリア、３ｄは第３表示エリアである。
【００５１】
一方、お好み印刷モードとする場合、上記ステップＳ１で肯定判定し、ステップＳ３において、オペレータが用意した印刷対象となるフォーマット用紙７を画像入力手段２にセットする。
【００５２】
このステップＳ３では、用紙搭載面２ａ上に印刷対象のフォーマット用紙７を配置し、押さえ蓋２ｂを閉じるよう促す。オペレータが入力手段１におけるスキャン開始用のキーを操作すると、ステップＳ４において、画像入力手段２を起動して印刷対象のフォーマット用紙７に関するレイアウト画像を読み取る。この読み取り後、ステップＳ５において、画像入力手段２にセットしたフォーマット用紙７を取り出して印刷手段４の給紙トレイ４ａにセットする（例えば図２参照）。
【００５３】
このステップＳ５では、例えば「印刷手段４の給紙トレイ４ａに印刷対象となる用紙をセットしてください」というメッセージを表示手段３に表示し、例えばフォーマット用紙７がセットされたことをオペレータにより確認操作させるようにしている。
【００５４】
この後、上記ステップＳ４で読み取ったレイアウト画像をステップＳ６で表示手段３の第１表示エリア３ｂに表示する。
【００５５】
そして、ステップＳ７において、表示しているレイアウト画像（２０または３０）における情報の記入領域画像（２２〜２５または３３）に記入すべき固有情報を入力手段１から直接入力するか否かを判定する。
【００５６】
ここで、入力手段１から直接入力する場合には、上記ステップＳ７で肯定判定し、ステップＳ８において、中央処理装置１１が直接入力モードに切り替え、入力手段１に対するオペレータの操作に伴う固有情報の入力を受け付けてから、ステップＳ１０において、入力された固有情報を表示手段３の第２表示エリア３ｃに表示するとともに、第１表示エリア３ｂに表示しているレイアウト画像（２０または３０）における記入領域画像（２２〜２５または３３）内に、はめ込み表示することにより、印刷イメージが作成される。
【００５７】
一方、固有情報メモリ１４から読み出す場合には、上記ステップＳ７で否定判定し、ステップＳ９において、固有情報メモリ１４からオペレータの所望する固有情報を読み出し、ステップＳ１０において、入力された固有情報を表示手段３の第２表示エリア３ｃに表示するとともに、第１表示エリア３ｂに表示しているレイアウト画像（２０または３０）における記入領域画像（２２〜２５または３３）に、はめ込み表示することにより、印刷イメージが作成される。
【００５８】
なお、上記ステップＳ９では、固有情報メモリ１４内から所望の固有情報が含まれる項目例えば「電話帳」がオペレータにより選択されると、表示手段３の第３表示エリア３ｄに項目名つまり「電話帳」を表示し、さらに、その中から所望の固有情報がオペレータにより選択されると、その内容つまり例えば名前、住所、郵便番号等の固有情報を表示手段３の第２表示エリア３ｃに表示する。
【００５９】
このようにしてから、ステップＳ１１で、表示手段３の第２表示エリア３ｃに表示している固有情報に関する位置をオペレータによる入力手段１の操作に応じて動かすよう調整する。
【００６０】
このステップＳ１１における位置調整は、例えば入力手段１におけるカーソルキー１ｂを用いて行う。例えば、まず、位置調整の対象となる記入領域画像（２２〜２５または３３）を選択してから、この選択した記入領域画像（２２〜２５または３３）を、またカーソルキー１ｂによりレイアウト画像（２０または３０）の輪郭線（２１または３１）内で上下左右方向に適宜に動かし、所望の位置に配置する。
【００６１】
ちなみに、図４において、電話帳から固有情報を選択して表示した場合、固有情報としての郵便番号の数字それぞれが、郵便番号記入領域画像２２の各枠の中心に配置されるよう、オペレータの好みに合わせた位置に動かすことができる。また、固有情報としての宛先や住所についても、オペレータの好みに合わせた位置に配置できる。
【００６２】
このようにして位置調整が終了すれば、ステップＳ１２において、用意したフォーマット用紙７（図２参照）に対する印刷を行う。
【００６３】
このステップＳ１２では、オペレータにより入力手段１の印刷スタートキーが押されることによって、印刷手段４における給紙トレイ４ａにセットした印刷対象となるフォーマット用紙７に対し、表示画面３ａに表示している印刷イメージの記入領域画像（２２〜２５または３３）にはめ込み表示した固有情報が印刷されることになる。
【００６４】
ところで、上述したような動作において、ステップＳ１〜Ｓ５までが、画像取得処理であり、ステップＳ６〜Ｓ１１までが表示編集処理であり、ステップＳ１２が印刷処理である。
【００６５】
以上に説明したように、本発明の情報処理装置では、印刷対象とする各種のフォーマット用紙７のレイアウト画像（２０または３０）を実際に取り込んで表示するとともに、その記入領域画像（２２〜２５または３３）または任意領域に任意の固有情報をはめ込み表示することにより、印刷イメージを作成しておいて、前記印刷対象となるフォーマット用紙７に前記はめ込み表示した固有情報を印刷するようにしている。
【００６６】
これにより、印刷イメージと印刷対象とするフォーマット用紙７との間でレイアウトが位置ずれすることがない。
【００６７】
したがって、前記印刷対象となるフォーマット用紙７に忠実に作成した印刷イメージに基づいて、固有情報の印刷を行うから、印刷対象となるフォーマット用紙７に、オペレータの所望する固有情報を位置ずれすることなく、正確に印刷することが可能になる。
【００６８】
ちなみに、例えば市販のハガキや封筒等の標準タイプのフォーマット用紙でも、情報の記入領域の位置が少しずつ異なる場合があるが、そのような場合でも、上記お好み印刷モードで印刷機能を実行すれば、印刷対象となるハガキや封筒の情報記入領域内に、固有情報を位置ずれすることなく、印刷することができるようになる。
【００６９】
また、例えば市販のハガキの裏面にイラスト等が予め印刷されているような特殊タイプのフォーマット用紙の適宜領域に、メッセージ等の固有情報を印刷したい場合でも、上記お好み印刷モードで印刷機能を実行すれば、印刷対象となるハガキの裏面の既存のイラストと印刷するメッセージとの相対位置を、表示手段３に表示する印刷イメージどおりに設定することができるだけでなく、表示手段３に表示する印刷イメージをオペレータが見ながら、メッセージの場所を臨機応変に変更することができる。したがって、オペレータの好みに応じたメッセージを好みに応じた場所に配置することができる。
【００７０】
なお、上記実施形態では、印刷機能において画像取得処理、表示編集処理、印刷処理をそれぞれ一連に連結しているが、それぞれ単独で実行させることも可能である。
【図面の簡単な説明】
【００７１】
【図１】本発明に係る情報処理装置の一実施形態を示す概略構成図である。
【図２】図１の情報処理装置の外観を示す斜視図である。
【図３】図１の情報処理装置の動作説明に用いるフローチャートである。
【図４】図３の動作説明に用いる表示画像の一例を示す図である。
【図５】図３の動作説明に用いる表示画像の他例を示す図である。
【符号の説明】
【００７２】
１      入力手段
２      画像入力手段
３      表示手段
４      印刷手段
５      制御手段
７      フォーマット用紙
１１      ＣＰＵ
１２      プログラムメモリ
１３      データメモリ
１４      固有情報メモリ
２０，３０      レイアウト画像
２１，３１      輪郭線画像
２２      郵便番号記入領域画像
２３      宛先住所記入領域画像
２４      宛先氏名記入領域画像
２５      敬称記入領域画像
３２      イラスト画像
３３      メッセージ記入領域画像
【図１】
2006293758.tif 000003
【図２】
2006293758.tif 000004
【図３】
2006293758.tif 000005
【図４】
2006293758.tif 000006
【図５】
2006293758.tif 000007